(57)【特許請求の範囲】
【請求項１】
上下一対の横枠部材、並びにこれら横枠部材の端部どうしを連結する左右一対の縦枠部材から形成された枠体に面材を取り付けてなる複数のカーテンウォールユニットを、互いに隣接するユニットどうしが所定角度傾けられるよう、上下又は左右、若しくは上下左右に接続することにより構成されたカーテンウォールにおいて、
カーテンウォールユニットの一方の縦枠部材と、該カーテンウォールユニットに左右に隣接する他のカーテンウォールユニットの一方の縦枠部材との間に、それぞれの縦枠部材の室外側に設けられた第１縦シール部材どうし、並びに該縦枠部材の該第１縦シール部材よりも室内側に設けられた第２縦シール部材どうしが当接することで形成される縦樋部と、
カーテンウォールユニットの一方の横枠部材と、該カーテンウォールユニットに上下に隣接する他のカーテンウォールユニットの一方の横枠部材との間に、それぞれの横枠部材の室外側に設けられた第１横シール部材どうし、並びに該横枠部材の該第１横シール部材よりも室内側に設けられた第２横シール部材どうしが当接することで形成される横樋部とが連通することにより空間を構成し、面材が下向きとなる最下位のカーテンウォールユニットの下端部が該空間に外気を導入するための開口を形成することを特徴とするカーテンウォール。
【請求項２】
前記第１縦シール部材どうしは、互いの室外側端部が前記縦枠部材よりも室外側に突出するよう弾性変形しながら当接し、前記第１横シール部材どうしは、互いの室外側端部が前記横枠部材よりも室外側に突出するよう弾性変形しながら当接することを特徴とする請求項１に記載のカーテンウォール。
【請求項３】
面材が上向きとなるカーテンウォールユニットの一方の縦枠部材は、自身が形成する縦樋部において該縦樋部の延在方向に沿って延在するよう配設され、かつ該縦樋部に浸入した雨水を下方に向けて通過させる樋部材を備えたことを特徴とする請求項１又は請求項２に記載のカーテンウォール。
【請求項４】
請求項１〜３のいずれか１つに記載のカーテンウォールを用いたことを特徴とする建造物。
【発明の詳細な説明】
【技術分野】
【０００１】
本発明は、カーテンウォール及びそれを用いた建造物に関するものである。
【背景技術】
【０００２】
従来、建造物の外壁材を構成するカーテンウォールは、矩形状の枠体に例えばコンクリートパネルやガラスパネル等の面材を取り付けてなるカーテンウォールユニットを上下左右に接続することにより形成されている。
【０００３】
このようなカーテンウォールとして、上下又は左右、若しくは上下左右に隣接するカーテンウォールユニットが互いに所定角度傾けられるよう接続されることで全体として上下方向又は左右方向、若しくは上下左右方向に湾曲形状を成したものが知られている。
【０００４】
かかるカーテンウォールにおいては、カーテンウォールユニットを構成する枠体の横枠部材と、該カーテンウォールユニットに上下に隣接する他のカーテンウォールユニットの横枠部材との間には横樋部が形成されている。横樋部は、各横枠部材の室外側に設けられた１次シール材どうしが当接されるとともに、該１次シール材よりも室内側において突条片が該横枠部材間に跨るよう設けられることにより形成されるものである。また、カーテンウォールユニットを構成する枠体の縦枠部材と、該カーテンウォールユニットに左右に隣接する他のカーテンウォールユニットの縦枠部材との間には縦樋部が形成されている。縦樋部は、各縦枠部材の室外側に設けられた１次シール材どうしが当接されるとともに、該１次シール材よりも室内側において嵌合シール材が該縦枠部材間に跨るよう設けられることにより形成されるものである。
【０００５】
そして、このようなカーテンウォールにおいては、横樋部と縦樋部とが連通することで空間を構成し、該空間を利用して内部に浸入した雨水を下方に導いて外部に排水するようにしている。また、かかるカーテンウォールでは、１次シール材の一部に外気導入のための切欠を形成することで、該空間を外気と等圧なものとしている（例えば、特許文献１参照）。
【先行技術文献】
【特許文献】
【０００６】
【特許文献１】特許第２８９９５２３号公報
【発明の概要】
【発明が解決しようとする課題】
【０００７】
ところで、上述したようなカーテンウォールでは、１次シール材の一部に切欠を形成して外気を導入しているために、この切欠を介して雨水が横樋部や縦樋部に浸入してしまうことになる。そのため、該カーテンウォールでは、横樋部を形成する突条片が横枠部材間に跨るように配設するとともに、縦樋部を形成する嵌合シール材が縦枠部材間に跨るように配設する必要があった。
【０００８】
しかしながら、突条片や嵌合シール材を横枠部材間や縦枠部材間に跨るように配設することは、カーテンウォールの組立作業が煩雑なものとなる。
【０００９】
本発明は、上記実情に鑑みて、組立作業性を向上させながら水密性を確保することができるカーテンウォール及びそれを用いた建造物を提供することを目的とする。
【課題を解決するための手段】
【００１０】
上記目的を達成するために、本発明の請求項１に係るカーテンウォールは、上下一対の横枠部材、並びにこれら横枠部材の端部どうしを連結する左右一対の縦枠部材から形成された枠体に面材を取り付けてなる複数のカーテンウォールユニットを、互いに隣接するユニットどうしが所定角度傾けられるよう、上下又は左右、若しくは上下左右に接続することにより構成されたカーテンウォールにおいて、カーテンウォールユニットの一方の縦枠部材と、該カーテンウォールユニットに左右に隣接する他のカーテンウォールユニットの一方の縦枠部材との間に、それぞれの縦枠部材の室外側に設けられた第１縦シール部材どうし、並びに該縦枠部材の該第１縦シール部材よりも室内側に設けられた第２縦シール部材どうしが当接することで形成される縦樋部と、カーテンウォールユニットの一方の横枠部材と、該カーテンウォールユニットに上下に隣接する他のカーテンウォールユニットの一方の横枠部材との間に、それぞれの横枠部材の室外側に設けられた第１横シール部材どうし、並びに該横枠部材の該第１横シール部材よりも室内側に設けられた第２横シール部材どうしが当接することで形成される横樋部とが連通することにより空間を構成し、面材が下向きとなる最下位のカーテンウォールユニットの下端部が該空間に外気を導入するための開口を形成することを特徴とする。
【００１１】
これによれば、カーテンウォールユニットの一方の縦枠部材と、該カーテンウォールユニットに左右に隣接する他のカーテンウォールユニットの一方の縦枠部材との間に、それぞれの縦枠部材の室外側に設けられた第１縦シール部材どうし、並びに該縦枠部材の該第１縦シール部材よりも室内側に設けられた第２縦シール部材どうしが当接することで形成される縦樋部と、カーテンウォールユニットの一方の横枠部材と、該カーテンウォールユニットに上下に隣接する他のカーテンウォールユニットの一方の横枠部材との間に、それぞれの横枠部材の室外側に設けられた第１横シール部材どうし、並びに該横枠部材の該第１横シール部材よりも室内側に設けられた第２横シール部材どうしが当接することで形成される横樋部とが連通することにより空間を構成し、面材が下向きとなる最下位のカーテンウォールユニットの下端部が該空間に外気を導入するための開口を形成しているので、従来のように１次シール材に切欠を形成する場合に比べて、雨水の浸入を低減させることができ、水密性に優れたものとなる。しかも、縦樋部は第１縦シール部材どうし、並びに第２縦シール部材どうしが当接することにより形成されるものであり、横樋部は第１横シール部材どうし、並びに第２横シール部材どうしが当接することにより形成されるものであるから、従来のように縦枠部材間や横枠部材間に跨るように部材を配設する必要がなく、カーテンウォールの組立作業を容易なものとすることができる。
【００１２】
また、本発明の請求項２に係るカーテンウォールは、上述した請求項１において、前記第１横シール部材どうしは、互いの室外側端部が前記横枠部材よりも室外側に突出するよう弾性変形しながら当接し、前記第１縦シール部材どうしは、互いの室外側端部が前記縦枠部材よりも室外側に突出するよう弾性変形しながら当接することを特徴とする。
【００１３】
これによれば、第１縦シール部材どうしは互いの室外側端部が縦枠部材よりも室外側に突出するよう弾性変形しながら当接し、第１横シール部材どうしは互いの室外側端部が横枠部材よりも室外側に突出するよう弾性変形しながら当接するので、雨水がこれらの間を通過しにくくして、水密性を向上させることができる。
【００１４】
また、本発明の請求項３に係るカーテンウォールは、上述した請求項１又は請求項２において、面材が上向きとなるカーテンウォールユニットの一方の縦枠部材は、自身が形成する縦樋部において該縦樋部の延在方向に沿って延在するよう配設され、かつ該縦樋部に浸入した雨水を下方に向けて通過させる樋部材を備えたことを特徴とする。
【００１５】
これによれば、面材が上向きとなるカーテンウォールユニットの一方の縦枠部材に配設された樋部材が縦樋部に浸入した雨水を下方に向けて通過させるので、第２縦シール部材間に対する浸入水を低減させることができ、更なる水密性の向上を図ることができる。
【００１６】
また、本発明の請求項４に係る建造物は、上述した請求項１〜３のいずれか一つに記載のカーテンウォールを用いたことを特徴とする。
【００１７】
これによれば、雨水の浸入を低減させることができるとともに、組立作業が容易なカーテンウォールを提供することができる。
【発明の効果】
【００１８】
本発明によれば、組立作業性を向上させながら水密性を確保することができるという効果を奏する。
【図面の簡単な説明】
【００１９】
【図１】図１は、本発明の実施の形態である建造物に適用されたカーテンウォール（本実施の形態であるカーテンウォール）を示す説明図である。
【図２】図２は、カーテンウォールユニットどうしが接続したカーテンウォールの目地部分を拡大して示すもので、縦目地部分を拡大して示す横断面図である。
【図３】図３は、カーテンウォールユニットどうしが接続したカーテンウォールの目地部分を拡大して示すもので、横目地部分を拡大して示す縦断面図である。
【図４】図４は、図１に示したカーテンウォールの下端部を示す縦断面図である。
【発明を実施するための形態】
【００２０】
以下に添付図面を参照して、本発明に係るカーテンウォール及びそれを用いた建造物の好適な実施の形態について詳細に説明する。
【００２１】
図１は、本発明の実施の形態である建造物に適用されたカーテンウォール（本実施の形態であるカーテンウォール）を示す説明図である。
【００２２】
ここで例示する建造物は、例えばビルやタワー等のようなものであり、外壁の少なくとも一部に、上下方向に沿って湾曲するとともに左右方向に沿って湾曲する湾曲部が形成してある。このような湾曲部を形成するカーテンウォール１は、互いに隣接するカーテンウォールユニット１０が所定角度傾けられるよう上下左右に接続することにより構成されている。
【００２３】
カーテンウォールユニット１０は、上枠部材１１及び下枠部材１２、並びにこれら上枠部材１１及び下枠部材１２の端部どうしを連結する左右一対の縦枠部材１３，１４から形成された矩形状の枠体に、例えばコンクリートパネルやガラスパネル等の面材１５を取り付けて形成されるものである。ここで、上枠部材１１及び下枠部材１２は上下一対の横枠部材である。
【００２４】
尚、本実施の形態であるカーテンウォール１は、４つのカーテンウォールユニット１０が上下に並ぶよう接続されることで上下方向に沿って湾曲している。そして、最上位のカーテンウォールユニット１０及び最上位から２番目のカーテンウォールユニット１０では、面材１５が上向きとなり、最下位のカーテンウォールユニット１０及び最下位から２番目のカーテンウォールユニット１０では、面材１５が下向きとなっている。
【００２５】
また、カーテンウォール１は、各カーテンウォールユニット１０を構成する横枠部材（上枠部材１１及び下枠部材１２）が建造物の躯体に取り付けられたブラケット（図示せず）にボルト止めされることで躯体側に取り付けられている。
【００２６】
図２及び図３は、それぞれカーテンウォールユニットどうしが接続したカーテンウォールの目地部分を拡大して示すもので、図２は縦目地部分を拡大して示す横断面図であり、図３は横目地部分を拡大して示す縦断面図である。
【００２７】
尚、図２においては、面材１５が上向きとなる最上位から２番目のカーテンウォールユニット１０の縦枠部材１３，１４間における縦目地部分について示しているが、カーテンウォール１を構成する各カーテンウォールユニット１０は、すべて同一構造のものが用いられており、他のカーテンウォールユニット１０の縦枠部材１３，１４間における縦目地部分の構造も図２と同一であるため、その説明を割愛する。また、図３においては、面材１５が上向きとなる最上位から２番目のカーテンウォールユニット１０とその下方に隣接するカーテンウォールユニット１０の横枠部材１１，１２間における横目地部分について示しているが、カーテンウォール１を構成する各カーテンウォールユニット１０は、すべて同一構造のものが用いられており、他のカーテンウォールユニット１０の横枠部材１１，１２間における横目地部分の構造も図３と同一であるため、その説明を割愛する。つまり、カーテンウォールユニット１０は、その配置位置で傾斜角度が異なるが、左右に隣接するカーテンウォールユニット１０どうしの相対傾斜角度、並びに上下に隣接するカーテンウォールユニット１０どうしの相対傾斜角度はどの位置でも一定である。
【００２８】
図２に示すように、カーテンウォールユニット１０の一方の縦枠部材１３の右端部には、第１縦シール部材２１、第２縦シール部材２２及び第３縦シール部材２３が設けてある。第１縦シール部材２１は、例えばエチレンプロピレンゴム等の弾性材から構成されるものであり、該縦枠部材１３の室外側端部に取り付けてある。第２縦シール部材２２は、第１縦シール部材２１と同様に弾性材から構成され、上方向から見た場合に略Ｌ字状を成している。この第２縦シール部材２２は、第１縦シール部材２１よりも室内側の個所に取り付けてある。第３縦シール部材２３は、第１縦シール部材２１及び第２縦シール部材２２と同様に弾性材から構成され、第２縦シール部材２２よりも室内側の個所に取り付けてある。
【００２９】
一方、上記カーテンウォールユニット１０と左右に隣接する他のカーテンウォールユニット１０の一方の縦枠部材１４の左端部にも、上記縦枠部材１３と同様に第１縦シール部材２１、第２縦シール部材２２及び第３縦シール部材２３が設けてある。
【００３０】
これら互いに左右に隣接するカーテンウォールユニット１０間においては、縦枠部材１３，１４間で第１縦シール部材２１どうし、第２縦シール部材２２どうし、並びに第３縦シール部材２３どうしが互いに弾性変形しながら当接している。このように第１縦シール部材２１どうしが当接することで１次レインバリアを形成し、第２縦シール部材２２どうしが当接することで２次レインバリアを形成し、第３縦シール部材２３どうしが当接することでウインドバリアを形成しており、特に第１縦シール部材２１どうしは、互いの室外側端部が縦枠部材１３，１４よりも室外側に突出するよう弾性変形しながら当接している。
【００３１】
そして、第１縦シール部材２１どうし、並びに第２縦シール部材２２どうしが当接することで、縦枠部材１３，１４間に縦樋部２４が形成される。また、これら縦枠部材１３，１４間において、第２縦シール部材２２どうし、並びに第３縦シール部材２３どうしが当接することにより縦樋部２４と平行となるよう延在する縦長空間２５が形成される。
【００３２】
このように形成された縦樋部２４は、自身の上方域及び下方域において形成される縦樋部２４に連通することでカーテンウォール１の上端から下端まで延在する一本の通路を形成することになる。また、この縦樋部２４と平行となるよう延在する縦長空間２５も、自身の上方域及び下方域において形成される縦長空間２５に連通することでカーテンウォール１の上端から下端まで延在する一本の通路を形成している。
【００３３】
そして、図２に示すように、面材１５が上向きとなるカーテンウォールユニット（最上位のカーテンウォールユニット１０及び最上位から２番目のカーテンウォールユニット１０）の縦枠部材１４には、自身が形成する縦樋部２４にその延在方向に沿って延在する樋部材２６が配設してある。樋部材２６は、鋼板を屈曲加工して形成したものであり、２次レインバリアを覆うように形成された溝部２６ａを介して該縦樋部２４に浸入した雨水を下方に向けて通過させるものである。
【００３４】
図３に示すように、カーテンウォールユニット１０の下枠部材１２（一方の横枠部材）の下端部には、第１横シール部材３１、第２横シール部材３２及び第３横シール部材３３が設けてある。第１横シール部材３１は、例えばエチレンプロピレンゴム等の弾性材から構成されるものであり、下枠部材１２の室外側端部に取り付けてある。第２横シール部材３２は、第１横シール部材３１と同様に弾性材から構成され、左右方向から見た場合に略Ｌ字状を成している。この第２横シール部材３２は、第１横シール部材３１よりも室内側の個所に取り付けてある。第３横シール部材３３は、第１横シール部材３１及び第２横シール部材３２と同様に弾性材から構成され、第２横シール部材３２よりも室内側の個所に取り付けてある。
【００３５】
一方、上記カーテンウォールユニット１０と上下に隣接する他のカーテンウォールユニット１０の上枠部材１１（一方の横枠部材）の上端部にも、上記下枠部材１２と同様に第１横シール部材３１、第２横シール部材３２及び第３横シール部材３３が設けてある。
【００３６】
これら互いに上下に隣接するカーテンウォールユニット１０間においては、下枠部材１２と上枠部材１１との間で、第１横シール部材３１どうし、第２横シール部材３２どうし、並びに第３横シール部材３３どうしが互いに弾性変形しながら当接している。このように第１横シール部材３１どうしが当接することで１次レインバリアを形成し、第２横シール部材３２どうしが当接することで２次レインバリアを形成し、第３横シール部材３３どうしが当接することでウインドバリアを形成しており、特に第１横シール部材３１どうしは、互いの室外側端部が横枠部材である上枠部材１１及び下枠部材１２よりも室外側に突出するよう弾性変形しながら当接している。
【００３７】
そして、第１横シール部材３１どうし、並びに第２横シール部材３２どうしが当接することで、下枠部材１２と上枠部材１１との間に横樋部３４が形成される。また、これら下枠部材１２と上枠部材１１との間において、第２横シール部材３２どうし、並びに第３横シール部材３３どうしが当接することにより横樋部３４と平行となるよう延在する横長空間３５が形成されるが、かかる横長空間３５は、下枠部材１２に形成される貫通孔（図示せず）を通じて横樋部３４に連通している。
【００３８】
このような横樋部３４は、その左右両端において縦樋部２４に連通するとともに、自身の左方域及び右方域において他の横樋部３４が形成される場合にはこれに連通しており、また横長空間３５もその左右両端において縦長空間２５に連通しているとともに、自身の左方域及び右方域において他の横長空間３５が形成される場合にはこれに連通している。しかも、横長空間３５と横樋部３４は、図３中の矢印のように貫通孔を通じて連通していることから、縦樋部２４、横樋部３４、縦長空間２５及び横長空間３５は連通しており、共通の空間を形成している。
【００３９】
最上位のカーテンウォールユニット１０の上枠部材１１に対向して図示せぬ上端枠が配置してある。この上端枠には、第１上端シール部材及び第２上端シール部材が配設してある。第２上端シール部材は、第１上端シール部材よりも室内側の個所に設けてある。
【００４０】
このような最上位のカーテンウォールユニット１０の上枠部材１１と上端枠との間では、第１横シール部材３１が上端枠の室外側端部に弾性変形しながら当接し、第２横シール部材３２が第１上端シール部材と弾性変形しながら当接し、第３横シール部材３３が第２上端シール部材と弾性変形しながら当接している。
【００４１】
このように第１横シール部材３１が上端枠の室外側端部と当接することで１次レインバリアを形成し、第２横シール部材３２が第１上端シール部材と当接することで２次レインバリアを形成し、第３横シール部材３３が第２上端シール部材と当接することでウインドバリアを形成している。
【００４２】
そして、第１横シール部材３１が上端枠の室外側端部に当接し、並びに第２横シール部材３２が第１上端シール部材に当接することで、上枠部材１１と上端枠の間に上端横樋部が形成される。また、これら上枠部材１１と上端枠との間において、第２横シール部材３２が第１上端シール部材に当接し、並びに第３横シール部材３３が第２上端シール部材に当接することにより上端横樋部と平行となるよう延在する上端横長空間が形成される。
【００４３】
このような上端横樋部は、その左右両端において縦樋部２４に連通しており、また上端横長空間もその左右両端において縦長空間２５に連通している。
【００４４】
図４は、図１に示したカーテンウォール１の下端部を示す縦断面図である。この図４に示すように、最下位のカーテンウォールユニット１０の下枠部材１２に対向して下端枠５０が配置してある。この下端枠５０には、下端シール部材５１が配設してある。
【００４５】
このような最下位のカーテンウォールユニット１０の下枠部材１２と下端枠５０との間では、第２横シール部材３２が下端枠５０の上端部に弾性変形しながら当接し、第３横シール部材３３が下端シール部材５１と弾性変形しながら当接している。このように第２横シール部材３２が下端枠５０の上端部と当接することでレインバリアを形成し、第３横シール部材３３が下端シール部材５１と当接することでウインドバリアを形成している。また、下枠部材１２の第１横シール部材３１と、下端枠５０の室外側端部との間には間隙が設けられることにより下枠部材１２の延在方向に沿って延在する長尺状の開口Ｋが形成してある。
【００４６】
このように第２横シール部材３２が下端枠５０の上端部に当接することで、下枠部材１２と下端枠５０との間にはその室外側に上記開口Ｋを有する下端横樋部５４が形成される。また、これら下枠部材１２と下端枠５０との間において、第２横シール部材３２が下端枠５０の上端部に当接し、並びに第３横シール部材３３が下端シール部材５１に当接することにより下端横樋部５４と平行となるよう延在する下端横長空間５５が形成される。このような下端横樋部５４は、その左右両端において縦樋部２４に連通しており、また下端横長空間５５もその左右両端において縦長空間２５に連通している。
【００４７】
本実施の形態であるカーテンウォール１においては、カーテンウォールユニット１０の縦枠部材１３，１４間に形成される縦樋部２４と、横枠部材１１，１２間に形成される横樋部３４とが連通することで共通の空間を構成し、しかも下端横樋部５４が縦樋部２４に連通することで、長尺状の開口Ｋを通じて該空間に外気を導入することができ、該空間は外気と等圧なものとなる。つまり、面材１５が下向きとなる最下位のカーテンウォールユニット１０の下端部が該空間に外気を導入するための開口Ｋを形成している。
【００４８】
また、１次レインバリアを形成する第１縦シール部材２１どうしの当接、並びに第１横シール部材３１どうしの当接は、それぞれ互いの室外側端部が縦枠部材１３，１４、並びに横枠部材よりも室外側に突出しているが、これらが交差する個所では、一方のシール部材（例えば第１縦シール部材２１）を他方のシール部材（例えば第１横シール部材３１）に溶着させるようにしている。
【００４９】
以上のような構成を有する本実施の形態であるカーテンウォール１では、雨水が１次レインバリアを通過して内部に浸入したとしても、かかる雨水を横樋部３４及び縦樋部２４を通過させて下端横樋部５４に流れ込ませ、該下端横樋部５４の開口Ｋより外部に排出することができる。
【００５０】
以上説明したように、本発明の実施の形態であるカーテンウォール１においては、カーテンウォールユニット１０の一方の縦枠部材１３（１４）と、該カーテンウォールユニット１０に左右に隣接する他のカーテンウォールユニット１０の一方の縦枠部材１４（１３）との間に、それぞれの縦枠部材１３，１４の室外側に設けられた第１縦シール部材２１どうし、並びに該縦枠部材１３，１４の該第１縦シール部材２１よりも室内側に設けられた第２縦シール部材２２どうしが当接することで形成される縦樋部２４と、カーテンウォールユニット１０の一方の横枠部材１１（１２）と、該カーテンウォールユニット１０に上下に隣接する他のカーテンウォールユニット１０の一方の横枠部材１２（１１）との間に、それぞれの横枠部材１１，１２の室外側に設けられた第１横シール部材３１どうし、並びに該横枠部材の該第１横シール部材３１よりも室内側に設けられた第２横シール部材３２どうしが当接することで形成される横樋部３４とが連通することにより空間を構成し、面材１５が下向きとなる最下位のカーテンウォールユニット１０の下端部が該空間に外気を導入するための開口Ｋを形成している。このような構成によれば、従来のように１次シール材に切欠を形成する場合に比べて、雨水の浸入を低減させることができ、水密性に優れたものとなる。しかも、縦樋部２４は第１縦シール部材２１どうし、並びに第２縦シール部材２２どうしが当接することにより形成されるものであり、横樋部３４は第１横シール部材３１どうし、並びに第２横シール部材３２どうしが当接することにより形成されるものであるから、従来のように縦枠部材１３，１４間や横枠部材１１，１２間に跨るように部材を配設する必要がなく、カーテンウォール１の組立作業を容易なものとすることができる。従って、組立作業性を向上させながら水密性を確保することができる。
【００５１】
上記カーテンウォール１によれば、第１横シール部材３１どうしは互いの室外側端部が横枠部材（上枠部材１１及び下枠部材１２）よりも室外側に突出するよう弾性変形しながら当接して１次レインバリアを形成し、第１縦シール部材２１どうしは互いの室外側端部が縦枠部材１３，１４よりも室外側に突出するよう弾性変形しながら当接して第１次レインバリアを形成しているので、雨水が該レインバリアを通過しにくくすることができ、水密性を向上させることができる。
【００５２】
また、上記カーテンウォール１によれば、面材１５が上向きとなるカーテンウォールユニット１０の一方の縦枠部材１４に配設された樋部材２６が、２次レインバリアを覆うように形成された溝部２６ａを介して該縦樋部２４に浸入した雨水を下方に向けて通過させるので、２次レインバリアに対する浸入水を低減させることができ、更なる水密性の向上を図ることができる。
【００５３】
以上、本発明の好適な実施の形態について説明したが、本発明はこれに限定されるものではなく、種々の変更を行うことができる。
【００５４】
上述した実施の形態においては、互いに隣接するカーテンウォールユニット１０が所定角度傾けられるよう上下左右に接続することにより構成されるカーテンウォール１について説明したが、本発明においては、互いに隣接するカーテンウォールユニットが所定角度傾けられるよう上下に接続することにより構成されるカーテンウォールであってもよい。つまり、面材が上向きとなるカーテンウォールユニットと、面材が下向きとなるカーテンウォールユニットとを含むカーテンウォールであればよい。
【産業上の利用可能性】
【００５５】
以上のように、本発明に係るカーテンウォールは、建造物の外壁材を構成するのに有用である。
【符号の説明】
【００５６】
１  カーテンウォール
１０  カーテンウォールユニット
１１  上枠部材（横枠部材）
１２  下枠部材（横枠部材）
１３  縦枠部材
１４  縦枠部材
１５  面材
２１  第１縦シール部材
２２  第２縦シール部材
２３  第３縦シール部材
２４  縦樋部
２５  縦長空間
２６  樋部材
２６ａ  溝部
３１  第１横シール部材
３２  第２横シール部材
３３  第３横シール部材
３４  横樋部
３５  横長空間
Ｋ  開口
【図１】
0005356432.tif 000002
【図２】
0005356432.tif 000003
【図３】
0005356432.tif 000004
【図４】
0005356432.tif 000005